(57)【要約】  【課題】  射出成形金型交換時における作業性を向上させることができ、交換作業時間を短縮することができる射出成形機のロケートリングガイド構造を提供する。  【解決手段】  ロケートリングガイド孔１１は、その下部が、ロケートリング６の周面部６Ａと同じ曲率半径の円弧形状の基準部Ｕで形成してあり、この基準部Ｕを除く部分が、この基準部Ｕより大きい曲率半径を有する逃がし部Ｖで形成してあって、射出成形金型５のロケートリング６を固定側プラテン３に設けられたロケートリングガイド９のロケートリングガイド孔１１に挿入した場合、逃がし部Ｖがあることによりロケートリング６とロケートリングガイド孔１１との間の隙間が所定の大きさ（例えば１ｍｍ）以上と大きくなり、このロケートリング６の挿入作業を容易にする。【選択図】  図３
2005199651.tif 000002
【特許請求の範囲】
【請求項１】
射出成形機の固定側プラテンに設けられたロケートリングガイドのロケートリングガイド孔に、射出成形金型のロケートリングを挿入して前記射出成形用金型を前記射出成形機の型締軸線上に位置決めするようにした射出成形機のロケートリングガイド構造であって、
前記ロケートリングは、前記型締軸線を中心とする所定の半径の周面部を有しており、前記ロケートリングガイド孔は、その下部が、前記周面部と同じ曲率半径の円弧形状の基準部で形成してあると共に、この基準部を除く部分が、前記基準部より大きい曲率半径を有する逃がし部で形成してあることを特徴とする射出成形機のロケートリングガイド構造。
【請求項２】
前記基準部は、前記型締軸線上のガイド中心を通る水平線より所定距離だけ下げた位置から下の部分であり、この基準部を除く部分が前記逃がし部であることを特徴とする請求項１に記載の射出成形機のロケートリングガイド構造。
【請求項３】
射出成形機の固定側プラテンに設けられたロケートリングガイドのロケートリングガイド孔に、射出成形金型のロケートリングを挿入して前記射出成形用金型を前記射出成形機の型締軸線上に位置決めするようにした射出成形機のロケートリングガイド構造であって、
前記ロケートリングガイド孔が、前記型締軸線を中心とする所定の半径を曲率半径とする円形状であって、その周面部が、所定の傾斜角度のテーパーを有する凹状円錐面からなるロケートガイド側誘込み部で形成してあり、
前記ロケートリングが、その周面部の少なくとも一部に、前記ロケートガイド側誘込み部に合致する凸状円錐面からなるロケートリング側誘込み部を有することを特徴とする射出成形機のロケートリングガイド構造。
【請求項４】
前記ロケートリングの前記周面部の全部が、前記ロケートリング側誘込み部で形成してあることを特徴とする請求項３に記載の射出成形機のロケートリングガイド構造。
【発明の詳細な説明】
【技術分野】
【０００１】
本発明は、射出成形の段取替え作業の効率向上を目的とした射出成形機のロケートリングガイド構造に関するものである。
【背景技術】
【０００２】
一般に、加熱シリンダ内で加熱され流動化された樹脂を高圧で射出成形金型内に射出し、その中で冷却、固化又は硬化させ、次いで射出成形金型を開いて成形品を取り出すようにした射出成形機がある。
【０００３】
この射出成形機は、図１に示すように、ベースＢの上面に、型締めユニット１と射出ユニット２とを、それぞれの型締軸線ａと射出軸線ｂとを一致させた状態で対向して設置して構成してある。
【０００４】
型締めユニット１は、ベースＢの上面に固定された固定側プラテン３と、型締軸線ａに沿って移動可能な可動側プラテン４とを備えており、固定側プラテン３及び可動側プラテン４にそれぞれ射出成形金型５が取り付けられ、射出成形金型５に形成されたキャビティ（図示せず）内に樹脂が充填されるようになっている。
【０００５】
上記の射出成形機においては、成形品の種類を変更する度に射出成形金型５は両プラテン３、４から取り外され、変更されて再び両プラテン３、４に取り付けられる。そして、固定側プラテン３に射出成形金型５を取り付ける場合、位置決め用のロケートリング６を利用して射出シリンダ２０のノズル２１と射出成形金型５の注入口５Ａの軸芯を合わせるようにしている。また、射出成形金型５の交換は天井クレーン２２による作業で行うことが一般的である。
【０００６】
従来の技術では、図１０に示すように、ロケートリングガイド２３に設けてあるロケートリングガイド孔２４は真円であり、また、射出成形金型５に設けてあるロケートリング６は直筒形状であって、ロケートリングガイド２３は、そのロケートリングガイド孔２４がロケートリング６の直径と約０．２ｍｍ程度の隙間ｔ１、ｔ２を保つように固定側プラテン３に交換可能により取付けてある。
【０００７】
また、従来の射出成形機のロケートリングガイド構造としては、射出成形金型に設けられたロケートリングが挿入されるロケートリングガイド孔を有する固定側プラテンとロケートリングとからなる射出成型機において、ロケートリングガイド孔を四角形に形成させると共に、ロケートリングをロケートリングガイド孔に対応する四角形に形成したものである（特許文献１参照）。
【特許文献１】特開２００１−１０５４５５号公報
【発明の開示】
【発明が解決しようとする課題】
【０００８】
上記した前者の従来の技術にあっては、ロケートリングガイド孔２４とロケートリング６共々、図１１に示すように、それぞれのコーナーには１ｍｍ程度の面取り加工２５が施されているが、重量のある射出成形金型５を天井クレーン２２で微妙な調整をしながら、隙間０．２ｍｍ程度のロケートリングガイド孔２４にねらいを付けて入れる難しい作業を行っており、射出成形金型５の取り付けがやり難く、射出成形の段取替え作業に多くの時間を要していた。一方、製品価格低減の実現は製造メーカにとって最重要課題であり、射出成形作業においても価格に直接影響するところの型段取り時間を低減しなければならない。
【０００９】
また、上記した後者の従来の技術にあっては、ロケートリングガイド孔を四角形に形成し、ロケートリングをロケートリングガイド孔に対応する四角形に形成してあるために、上記した前者の従来の技術と同様に、重量の有る射出成形金型をクレーンで微妙な調整をしながら、ロケートリングガイド孔にねらいを付けて入れる難しい作業を行っており、射出成形金型の取り付けがやり難く、射出成形の段取替え作業に多くの時間を要していた。
【００１０】
本発明は上記の課題を解決するものであり、その目的とするところは、射出成形金型交換時における作業性を向上させることができ、交換作業時間を短縮することができるばかりか、作業者の熟練度に依存した位置決め調整のばらつきを解消することができる射出成形機のロケートリングガイド構造を提供することである。
【課題を解決するための手段】
【００１１】
上記の目的を達成するために、本発明に係る射出成形機のロケートリングガイド構造は、射出成形機の固定側プラテンに設けられたロケートリングガイドのロケートリングガイド孔に、射出成形金型のロケートリングを挿入して射出成形用金型を射出成形機の型締軸線上に位置決めするようにした射出成形機のロケートリングガイド構造であって、ロケートリングは、型締軸線を中心とする所定の半径の周面部を有しており、ロケートリングガイド孔は、その下部が、周面部と同じ曲率半径の円弧形状の基準部で形成してあると共に、この基準部を除く部分が、準部より大きい曲率半径を有する逃がし部で形成してあることを特徴とするものである。
【００１２】
かかる構成により、ロケートリングガイド孔に逃がし部が設けてあることで、ロケートリングとロケートリングガイド孔との間の隙間が所定の大きさ（例えば１ｍｍ）以上と大きくなり、このロケートリングの挿入作業が容易になるし、射出成形金型のロケートリングを挿入して、この射出成形金型を下降してロケートリングの周面部の下部をロケートリングガイド孔の基準部に当接させることで、ロケートリングの中心を、型締軸線上にあるロケートリングガイド孔のガイド中心に一致させて射出成形金型と射出成形機との芯合わせを行うことができる。
【００１３】
このために、従来のロケートリングガイド構造の欠点、すなわち、重量の大きい射出成形金型を、天井クレーンを用いて、隙間０．２ｍｍ程度のロケートリングガイド孔にねらいを付けて入れるという困難な作業の改善ができるために、効率の良い段取作業が実現できる。
【００１４】
このように、射出成形金型と固定側プラテンとの位置決めを容易に且つ確実に行うことができる。その結果として、射出成形金型交換時における作業性を向上させることができ、交換作業時間を短縮することができる。また、作業者の熟練度に依存した位置決め調整のばらつきを解消することができる。
【００１５】
また、本発明に係る射出成形機のロケートリングガイド構造は、上記した本発明に係る射出成形機のロケートリングガイド構造において、基準部は、型締軸線上のガイド中心を通る水平線より所定距離だけ下げた位置から下の部分であり、この基準部を除く部分が逃がし部であることを特徴とするものである。
【００１６】
かかる構成により、射出成形金型のロケートリングとロケートリングガイド孔との求心作用は、射出成形金型自身の重量によってその目的を達成できる。一方、それ以外の、例えば円周上側ほぼ２／３の範囲はいずれにせよ僅かな（例えば０．４ｍｍ程度）隙間ができて求心作用には無縁であるために、逃がし部を設けることにより、射出成形機と射出成形金型の芯合わせの機能を損なうことなくロケートリングの挿入作業が容易になる。
【００１７】
また、上記の目的を達成するために、本発明に係る射出成形機のロケートリングガイド構造は、射出成形機の固定側プラテンに設けられたロケートリングガイドのロケートリングガイド孔に、射出成形金型のロケートリングを挿入して射出成形用金型を射出成形機の型締軸線上に位置決めするようにした射出成形機のロケートリングガイド構造であって、ロケートリングガイド孔が、型締軸線を中心とする所定の半径を曲率半径とする円形状であって、その周面部が、所定の傾斜角度のテーパーを有する凹状円錐面からなるロケートガイド側誘込み部で形成してあり、ロケートリングが、その周面部の少なくとも一部に、ロケートガイド側誘込み部周に合致する凸状円錐面からなるロケートリング側誘込み部を有することを特徴とするものである。
【００１８】
かかる構成により、ロケートリングガイド孔の周面部が、所定の傾斜角度のテーパーを有する凹状円錐面からなるロケートガイド側誘込み部で形成してあり、ロケートリングの周面部の少なくとも一部が、周面部に合致する凸状円錐面からなるロケートリング側誘込み部で形成してあることで、ロケートリングとロケートリングガイド孔との誘込み量が所定の大きさ（例えば５ｍｍ）以上と大きくなり、このロケートリングの挿入作業が容易になるし、射出成形金型をさらに挿入することで、ロケートリング側誘込み部をロケートリングガイド側誘込み部に当接させて射出成形金型の位置決めを行い、射出成形金型と射出成形機との芯合わせを行うことができる。
【００１９】
このために、従来のロケートリングガイド構造の欠点、すなわち、重量の大きい型を、天井クレーンを用いて、隙間０．２ｍｍ程度のロケートリングガイド孔にねらいを付けて入れるという困難な作業の改善が出来るために、効率の良い段取作業が実現できる。
【００２０】
このように、射出成形金型と固定側プラテンとの位置決めを容易に且つ確実に行うことができる。その結果として、射出成形金型交換時における作業性を向上させることができ、交換作業時間を短縮することができる。また、作業者の熟練度に依存した位置決め調整のばらつきを解消することができる。
【００２１】
また、本発明に係る射出成形機のロケートリングガイド構造は、上記した本発明に係る射出成形機のロケートリングガイド構造において、ロケートリングの周面部の全部が、ロケートリング側誘込み部で形成してあることを特徴とするものである。
【００２２】
かかる構成により、ロケートリングとロケートリングガイド孔との誘込み量が所定の大きさ（例えば５ｍｍ）以上と大きくなり、このロケートリングの挿入作業が容易になるし、射出成形金型をさらに挿入することで、ロケートリング側誘込み部をロケートリングガイド側誘込み部に当接させて射出成形金型の位置決めを行い、射出成形金型と射出成形機との芯合わせを行うことができて、射出成形金型と固定側プラテンとの位置決めを容易に且つ確実に行うことができる。
【発明の効果】
【００２３】
本発明に係る射出成形機のロケートリングガイド構造によれば、ロケートリングガイド孔に逃がし部が設けてあることで、ロケートリングとロケートリングガイド孔との間の隙間が所定の大きさ（例えば１ｍｍ）以上と大きくなり、このロケートリングの挿入作業が容易になるし、射出成形金型のロケートリングを挿入して、この射出成形金型を下降してロケートリングの周面部の下部をロケートリングガイド孔の基準部に当接させることで、ロケートリングの中心が型締軸線上にある、ロケートリングガイド孔のガイド中心に一致させて射出成形金型と射出成形機との芯合わせを行うことができる。
【００２４】
また、本発明に係る射出成形機のロケートリングガイド構造によれば、ロケートリングガイド孔の周面部が、所定の傾斜角度のテーパーを有する凹状円錐面からなるロケートガイド側誘込み部で形成してあり、ロケートリングの周面部の少なくとも一部が、周面部に合致する凸状円錐面からなるロケートリング側誘込み部で形成してあることで、ロケートリングとロケートリングガイド孔との誘込み量が所定の大きさ（例えば５ｍｍ）以上と大きくなり、このロケートリングの挿入作業が容易になるし、射出成形金型をさらに挿入することで、ロケートリング側誘込み部をロケートリングガイド側誘込み部に当接させて射出成形金型の位置決めを行い、射出成形金型と射出成形機との芯合わせを行うことができる。
【００２５】
このために、両発明は、従来のロケートリングガイド構造の欠点、すなわち、重量の大きい型を、天井クレーン等を用いて、隙間０．２ｍｍ程度のロケートリングガイド孔にねらいを付けて入れるという困難な作業の改善が出来るために、効率の良い段取作業が実現できる。
【００２６】
このように、射出成形金型と固定側プラテンとの位置決めを容易に且つ確実に行うことができる。その結果として、射出成形金型交換時における作業性を向上させることができ、交換作業時間を短縮することができる。また、作業者の熟練度に依存した位置決め調整のばらつきを解消することができる。
【発明を実施するための最良の形態】
【００２７】
以下、本発明の実施の形態を図面に基づいて説明する。
【００２８】
（実地の形態１）
本発明の実地の形態１を図１乃至図５に示す。図１は射出成形機の構成説明図、図２は本発明に係る射出成形機のロケートリングガイド構造（実施の形態１）において、ロケートリングガイドのロケートリングガイド孔に射出成形金型のロケートリングを挿入する直前の状態を示す構成説明図、図３は図２のＸ方向からの矢視図、図４は本発明に係る射出成形機のロケートリングガイド構造（実施の形態１）において、ロケートリングガイドのロケートリングガイド孔に射出成形金型のロケートリングを挿入した状態を示す構成説明図、図５は図４のＹ方向からの矢視図である。
【００２９】
本発明に係る射出成型機のロケートリングガイド構造では、図２及び図３に示すように、射出成形金型５のロケートリング６の周面部６Ａは、型締軸線ａ上に中心Ｐ１を有する半径Ｒ１（例えばＲ１＝５０ｍｍ）の円形状である。
【００３０】
固定側プラテン３には、射出成形金型５のロケートリング６が挿入される円形貫通孔７が設けてあり、この固定側プラテン３の可動側プラテン４との対向面に、円形状の凹部からなるガイド装着部８が形成してあり、このガイド装着部８にロケートリングガイド９が取付ボルト１０により装着してある。
【００３１】
このロケートリングガイド９にはロケートリングガイド孔１１が形成してある。このロケートリングガイド孔１１は、型締軸線ａ上にガイド中心Ｐ２を有する円形孔であり、ロケートリングガイド孔１１は、その下部が、ロケートリング６の周面部６Ａと同じ曲率半径の円弧形状の基準部Ｕで形成してあり、この基準部Ｕを除く部分が、この基準部Ｕより大きい曲率半径を有する逃がし部Ｖで形成してある。
【００３２】
すなわち、基準部Ｕはロケートリングガイド孔１１の下部を形成しており、逃がし部Ｖは基準部Ｕを除く部分である。この逃がし部Ｖは、ガイド中心Ｐ２を通る水平線イから所定距離ｄ（例えば、２５ｍｍ）だけ下げた位置で水平方向に外方に向かって形成された段部１２ａ、１２ｂの外端部ハ、ニを結ぶ円弧で形成してある。
【００３３】
次に、射出成形金型５の射出成型機１への取付け作業を説明する。
【００３４】
射出成形金型５を射出成型機１に取り付ける手順として、まず、射出成形金型５を天井クレーン２２で吊り上げる。次に、射出成形金型５のロケートリング６を固定側プラテン３に設けられたロケートリングガイド９のロケートリングガイド孔１１に挿入する。この場合、ロケートリングガイド孔１１に逃がし部Ｕが設けてあることで、ロケートリング６とロケートリングガイド孔１１との間の隙間ｔ３が所定の大きさ（例えば１ｍｍ）以上と大きくなり、このロケートリング６の挿入作業が容易になる。
【００３５】
次に、この射出成形金型５を下降することで、ロケートリング６の周面部６Ａの下部をロケートリングガイド孔１１の下部に位置する基準部Ｕに当接させて射出成形金型５の位置決めを行う。この場合、ロケートリング６の中心Ｐ１が型締軸線ａ上にあるロケートリングガイド孔１１のガイド中心Ｐ２に一致する。このために、図４及び図５に示すように、射出成形金型５と射出成形機１との芯合わせを行うことができる。
【００３６】
次に、射出成形用金型５を固定側プラテン３に取り付ける。その結果、ロケートリング６がロケートリングガイド孔１１内に位置して、射出成形金型３の位置が決定される。
【００３７】
なお、基準部Ｕと逃がし部Ｖとの渡り部を水平な段部１２ａ、１２ｂで形成したが、必ずしも段部１２ａ、１２ｂであることはなく、基準部Ｕの端部を延長するようにして逃がし部Ｖの端部に繋ぐようにしてもよい。
【００３８】
上記したように、本発明の実施の形態１によれば、ロケートリングガイド孔１１に逃がし部Ｕが設けてあることで、ロケートリング６とロケートリングガイド孔１１との間の隙間ｔ３が所定の大きさ（例えば１ｍｍ）以上と大きくなり、このロケートリング６の挿入作業が容易になるし、射出成形金型５のロケートリング６を挿入して、この射出成形金型５を下降してロケートリング６の周面部６Ａの下部をロケートリングガイド孔１１の基準部Ｕに当接させることで、ロケートリング６の中心Ｐ１を、型締軸線ａ上にあるロケートリングガイド孔１１のガイド中心Ｐ２に一致させて射出成形金型５と射出成形機１との芯合わせを行うことができる。
【００３９】
このために、従来のロケートリングガイド構造の欠点、すなわち、重量の大きい射出成形金型５を天井クレーン２２を用いて隙間０．２ｍｍ程度のロケートリングガイド孔１１にねらいを付けて入れるという困難な作業の改善ができるために、効率の良い段取作業が実現できる。
【００４０】
このように、射出成形金型５と固定側プラテン３との位置決めを容易に且つ確実に行うことができる。その結果として、射出成形金型５交換時における作業性を向上させることができ、交換作業時間を短縮することができる。また、作業者の熟練度に依存した位置決め調整のばらつきを解消することができる。
【００４１】
（実地の形態２）
本発明の実地の形態２を図６乃至図９に示す。
【００４２】
本発明の実地の形態２では、ロケートリングガイド孔１１−１が、型締軸線ａ上に中心を有する所定の半径を曲率半径とする円形状であって、その周面部が、所定の傾斜角度α（例えば３０度）のテーパーを有する凹状円錐面からなるロケートガイド側誘込み部１５で形成してあり、ロケートリング６−１の周面部が、ロケートガイド側誘込み部１５に合致する凸状円錐面からなるロケートリング側誘込み部１６で形成してある。なお、他の構成は、上記した本発明の実施の形態１の場合と同構成であるために、同じ符号を付して説明を省略する。
【００４３】
次に、射出成形金型５の射出成型機１への取付け作業を説明する。
【００４４】
射出成形金型５を射出成型機１に取り付ける手順として、まず、射出成形金型５を天井クレーン２２で吊り上げる。次に、射出成形金型５のロケートリング６−１を、固定側プラテン３に設けられたロケートリングガイド９−１のロケートリングガイド孔１１−１に挿入する。
【００４５】
この場合、ロケートリングガイド孔１１−１の周面部が、凹状円錐面からなるロケートガイド側誘込み部１５で形成してあり、ロケートリング６−１の周面部が、ロケートガイド側誘込み部１５に合致する凸状円錐面からなるロケートリング側誘込み部１６で形成してあることで、ロケートリング６−１とロケートリングガイド孔１１−１との誘込み量が所定の大きさ（例えば５ｍｍ）以上と大きくなり、このロケートリング６−１の挿入作業が容易になる。
【００４６】
次に、この射出成形金型５をさらに挿入することで、ロケートガイド側誘込み部１５にロケートリング側誘込み部１６に当接させて射出成形金型５の位置決めを行う。この場合、ロケートリング６の中心Ｐ１がロケートリングガイド孔１１−１のガイド中心Ｐ２に一致する。このために、図８に示すように、射出成形金型５と射出成形機１との芯合わせを行うことができる。
【００４７】
次に、射出成形用金型５を固定側プラテン３に取り付ける。その結果、ロケートリング６−１がロケートリングガイド孔１１−１内に位置して、射出成形金型３の位置が決定される。
【００４８】
上記したように、本発明の実施の形態２によれば、ロケートリングガイド孔１１−１が、型締軸線ａ上に中心を有する所定の半径を曲率半径とする円形状であって、その周面部が、所定の傾斜角度α（例えば３０度）のテーパーを有する凹状円錐面からなるロケートガイド側誘込み部１５で形成してあり、ロケートリング６−１の周面部が、ロケートガイド側誘込み部１５に合致する凸状円錐面からなるロケートリング側誘込み部１６で形成してあることで、ロケートリング６−１とロケートリングガイド孔１１−１との誘込み量が所定の大きさ（例えば５ｍｍ）以上と大きくなり、このロケートリング６−１の挿入作業が容易になるし、射出成形金型５をさらに挿入することで、ロケートリング側誘込み部１６をロケートガイド側誘込み部１５に当接させて射出成形金型５の位置決めを行い、射出成形金型５と射出成形機１との芯合わせを行うことができる。
【００４９】
このために、従来のロケートリングガイド構造の欠点、すなわち、重量の大きい型を、天井クレーン等を用いて、隙間０．２ｍｍ程度のロケートリングガイド孔１１−１にねらいを付けて入れるという困難な作業の改善が出来るために、効率の良い段取作業が実現できる。
【００５０】
このように、射出成形金型５と固定側プラテン３との位置決めを容易に且つ確実に行うことができる。その結果として、射出成形金型５交換時における作業性を向上させることができ、交換作業時間を短縮することができる。また、作業者の熟練度に依存した位置決め調整のばらつきを解消することができる。
【００５１】
また、上記した本発明の実施の形態２の場合、ロケートリング６−１の周面部の全部がロケートリング側誘込み部１５で形成してあるが、図９に示すように、ロケートリング６−１の周面部を二面取りにしてロケートリング側誘込み部１５を部分的なものにしてもよい。
【産業上の利用可能性】
【００５２】
本発明に係る射出成形機のロケートリングガイド構造は、射出成形機と射出成形金型の芯合わせの機能を損なうことなくロケートリングの挿入作業が容易になるという効果を有し、射出成形機のロケートリングガイド構造等に有用である。
【図面の簡単な説明】
【００５３】
【図１】射出成形機の構成説明図である。
【図２】本発明に係る射出成形機のロケートリングガイド構造（実施の形態１）において、ロケートリングガイドのロケートリングガイド孔に射出成形金型のロケートリングを挿入する直前の状態を示す構成説明図である。
【図３】図２のＸ方向からの矢視図である。
【図４】本発明に係る射出成形機のロケートリングガイド構造（実施の形態１）において、ロケートリングガイドのロケートリングガイド孔に射出成形金型のロケートリングを挿入した状態を示す構成説明図である。
【図５】図４のＹ方向からの矢視図である。
【図６】本発明に係る射出成形機のロケートリングガイド構造（実施の形態２）において、ロケートリングガイドのロケートリングガイド孔に射出成形金型のロケートリングを挿入する直前の状態を示す構成説明図である。
【図７】図６のＺ方向からの矢視図である。
【図８】本発明に係る射出成形機のロケートリングガイド構造（実施の形態２）において、ロケートリングガイドのロケートリングガイド孔に射出成形金型のロケートリングを挿入した状態を示す構成説明図である。
【図９】同ロケートリングガイド構造の変形例の説明図である。
【図１０】従来の射出成形機のロケートリングガイド構造の構成説明図である。
【図１１】図１０のＴ部の拡大図である。
【符号の説明】
【００５４】
３        固定側プラテン
５        射出成形金型
６        ロケートリング
６−１    ロケートリング
７        円形貫通孔
８        ガイド装着部
９        ロケートリングガイド
９−１    ロケートリングガイド
１１      ロケートリングガイド孔
１１−１  ロケートリングガイド
１５      ロケートガイド側誘込み部
１６      ロケートリング側誘込み部
ａ        型締軸線
Ｕ        基準部
Ｖ        逃がし部
【図１】
2005199651.tif 000003
【図２】
2005199651.tif 000004
【図３】
2005199651.tif 000005
【図４】
2005199651.tif 000006
【図５】
2005199651.tif 000007
【図６】
2005199651.tif 000008
【図７】
2005199651.tif 000009
【図８】
2005199651.tif 000010
【図９】
2005199651.tif 000011
【図１０】
2005199651.tif 000012
【図１１】
2005199651.tif 000013